(57)【特許請求の範囲】
【請求項１】
売上処理された商取引データが電子的に記録されている電子ジャーナルファイルから取引日を検索条件にして商取引データを検索する検索手段と、
前記検索手段による検索で得られた各商取引データのそれぞれから当該商取引データに含まれる情報のうち少なくとも取引固有情報と日時情報とを表示対象として抽出して一覧にした商取引リストを、第１の表示領域に表示させる第１表示制御手段と、
レシート印字例の表示対象として前記商取引リストのなかから何れかの商取引データが選択された場合に、当該選択された商取引データに対応するレシートの印字例を第２の表示領域に表示させるとともに、前記第１の表示領域であって前記選択された商取引データに対応する第１の位置に第１の識別マークを表示させる第２表示制御手段と、
レシートの印字対象として前記商取引リストのなかから何れかの商取引データが選択された場合に、前記第１の表示領域であって当該選択された商取引データに対応する第２の位置に第２の識別マークを表示させる第３表示制御手段と、
を備え、
前記レシートの印字対象として複数の商取引データを前記商取引リストのなかから選択可能に設定されており、
前記第２の位置は、前記第１の位置よりも前記第２の表示領域から離れた位置として設定されている、
ことを特徴とする商取引処理装置。
【請求項２】
前記第３表示制御手段は、前記検索手段による検索で得られた各商取引データのそれぞれに対応させてチェックボックスを表示させるとともに、前記第２の識別マークを前記チェックボックス内に表示させる、
ことを特徴とする請求項１に記載の商取引処理装置。
【請求項３】
前記第１の表示領域と前記第２の表示領域は横長の表示画面において互いが左右方向に並ぶように設定されている、
ことを特徴とする請求項１または２に記載の商取引処理装置。
【請求項４】
前記第３表示制御手段により前記第２の識別マークが対応付けて表示されている商取引データに対応するレシートを印字手段に印字させるための操作ボタンを、前記第２の表示領域よりも前記第１の表示領域に近い位置に表示させる第４表示制御手段を備える、
ことを特徴とする請求項１から３の何れかに記載の商取引処理装置。
【請求項５】
前記第４表示制御手段は、前記操作ボタンが前記第１の表示領域の下側に位置するように前記操作ボタンを表示させる、
ことを特徴とする請求項４に記載の商取引処理装置。
【請求項６】
コンピュータを、
売上処理された商取引データが電子的に記録されている電子ジャーナルファイルから取引日を検索条件にして商取引データを検索する検索手段、
前記検索手段による検索で得られた各商取引データのそれぞれから当該商取引データに含まれる情報のうち少なくとも取引固有情報と日時情報とを表示対象として抽出して一覧にした商取引リストを、第１の表示領域に表示させる第１表示制御手段、
レシート印字例の表示対象として前記商取引リストのなかから何れかの商取引データが選択された場合に、当該選択された商取引データに対応するレシートの印字例を第２の表示領域に表示させるとともに、前記第１の表示領域であって前記選択された商取引データに対応する第１の位置に第１の識別マークを表示させる第２表示制御手段、
レシートの印字対象として前記商取引リストのなかから何れかの商取引データが選択された場合に、前記第１の表示領域であって当該選択された商取引データに対応する第２の位置に第２の識別マークを表示させる第３表示制御手段、
として機能させ、
前記レシートの印字対象として複数の商取引データを前記商取引リストのなかから選択可能に設定されており、
前記第２の位置は、前記第１の位置よりも前記第２の表示領域から離れた位置として設定されている、
ことを特徴とするプログラム。
【発明の詳細な説明】
【技術分野】
【０００１】
本発明は、商取引処理装置及びプログラムに関する。
【背景技術】
【０００２】
従来、商品を販売する店舗に設置されて、顧客に販売した商品の金額、個数等の売上データを登録するＥＣＲ（Electronic Cash Resister）等の商取引処理装置が知られている。
【０００３】
また、レシートに印刷したデータ等の営業記録の電子データである電子ジャーナルを生成及び記憶する商取引処理装置が知られている。電子ジャーナルは、商取引毎の商取引データを有する。例えば、ユーザの商取引の取引番号の入力を受け付け、入力された取引番号の商取引データをイメージ表示するジャーナル出力画面を表示し、その商取引データを印字する金銭登録装置が知られている（特許文献１参照）。
【０００４】
また、検索条件指定ボタンを有し、検索条件指定ボタンの入力に応じたジャーナルデータを抽出して表示器にイメージ表示する画面を表示器に表示する商品販売データ処理装置が知られている（特許文献２参照）。
【先行技術文献】
【特許文献】
【０００５】
【特許文献１】特開２００３−１３２４３４号公報
【特許文献２】特開２０００−１９４９４９号公報
【発明の概要】
【発明が解決しようとする課題】
【０００６】
しかし、従来の金銭登録装置、商品販売データ処理装置の表示画面では、電子ジャーナルのうち表示する商取引データと印刷する商取引データとが視覚的に分かりにくかった。
【０００７】
本発明の課題は、電子ジャーナルを分かり易く表示することである。
【課題を解決するための手段】
【０００８】
上記課題を解決するために、本発明に係る商取引処理装置は、売上処理された商取引データが電子的に記録されている電子ジャーナルファイルから取引日を検索条件にして商取引データを検索する検索手段と、前記検索手段による検索で得られた各商取引データのそれぞれから当該商取引データに含まれる情報のうち少なくとも取引固有情報と日時情報とを表示対象として抽出して一覧にした商取引リストを、第１の表示領域に表示させる第１表示制御手段と、レシート印字例の表示対象として前記商取引リストのなかから何れかの商取引データが選択された場合に、当該選択された商取引データに対応するレシートの印字例を第２の表示領域に表示させるとともに、前記第１の表示領域であって前記選択された商取引データに対応する第１の位置に第１の識別マークを表示させる第２表示制御手段と、レシートの印字対象として前記商取引リストのなかから何れかの商取引データが選択された場合に、前記第１の表示領域であって当該選択された商取引データに対応する第２の位置に第２の識別マークを表示させる第３表示制御手段と、を備え、前記レシートの印字対象として複数の商取引データを前記商取引リストのなかから選択可能に設定されており、前記第２の位置は、前記第１の位置よりも前記第２の表示領域から離れた位置として設定されている、ことを特徴とする。
また、本発明に係るプログラムは、コンピュータを、売上処理された商取引データが電子的に記録されている電子ジャーナルファイルから取引日を検索条件にして商取引データを検索する検索手段、前記検索手段による検索で得られた各商取引データのそれぞれから当該商取引データに含まれる情報のうち少なくとも取引固有情報と日時情報とを表示対象として抽出して一覧にした商取引リストを、第１の表示領域に表示させる第１表示制御手段、レシート印字例の表示対象として前記商取引リストのなかから何れかの商取引データが選択された場合に、当該選択された商取引データに対応するレシートの印字例を第２の表示領域に表示させるとともに、前記第１の表示領域であって前記選択された商取引データに対応する第１の位置に第１の識別マークを表示させる第２表示制御手段、レシートの印字対象として前記商取引リストのなかから何れかの商取引データが選択された場合に、前記第１の表示領域であって当該選択された商取引データに対応する第２の位置に第２の識別マークを表示させる第３表示制御手段、として機能させ、前記レシートの印字対象として複数の商取引データを前記商取引リストのなかから選択可能に設定されており、前記第２の位置は、前記第１の位置よりも前記第２の表示領域から離れた位置として設定されている、ことを特徴とする。
【発明の効果】
【０００９】
本発明によれば、電子ジャーナルを分かり易く表示できる。
【図面の簡単な説明】
【００１０】
【図１】本発明の実施の形態の商取引処理システムを示すブロック図である。
【図２】商取引処理装置を示す外観図である。
【図３】商取引処理装置の機能構成を示すブロック図である。
【図４】電子ジャーナルファイルの構成を示す図である。
【図５】電子ジャーナル印刷処理を示すフローチャートである。
【図６】電子ジャーナル印刷画面を示す図である。
【発明を実施するための形態】
【００１１】
以下、添付図面を参照して本発明に係る実施の形態を詳細に説明する。なお、本発明は、図示例に限定されるものではない。
【００１２】
図１〜図３を参照して、本実施の形態の装置構成を説明する。図１は、本実施の形態の商取引処理システム１を示すブロック図である。
【００１３】
先ず、図１を参照して、本実施の形態の商取引処理システム１を説明する。商取引処理システム１は、サーバ１０と、少なくとも１台の商取引処理装置２０と、を備える。サーバ１０は、クラウド上のサーバであり、商取引処理装置２０の商品の売上データを管理する。サーバ１０及び商取引処理装置２０は、通信ネットワークＮに接続されている。通信ネットワークＮは、インターネットであるものとするが、ＬＡＮ（Local Area Network）等、他のネットワークとしてもよい。
【００１４】
商取引処理装置２０は、個人商店、スーパーマーケット等の店舗に設置されるＥＣＲ等であり、店員の操作により顧客に販売した商品の金額、個数等の売上データを登録する装置である。商取引処理装置２０は、１つの店舗に少なくとも１台設置される。サーバ１０は、複数の店舗の商取引処理装置２０の売上データを一元的に管理することが可能である。
【００１５】
次いで、図２を参照して、商取引処理装置２０の外観構成を説明する。図２は、商取引処理装置２０を示す外観図である。
【００１６】
図２に示すように、商取引処理装置２０は、本体部２０１と、ドロア２９と、を備える。本体部２０１は、タッチパネルとしての操作部２２と、当該タッチパネルを表示画面上に設けた店員用の表示部２４ａと、顧客用の表示部２４ｂと、印刷部２８と、を備える。表示部２４ａは、ＬＣＤ（Liquid Crystal Display）、ＥＬ（ElectroLuminescent）ディスプレイ等で構成され、店員用の商品販売時の商品の売上データの入力画面情報、各種設定画面情報等を表示する。表示部２４ｂは、ＬＣＤ、ＥＬディスプレイ等で構成され、表示画面を顧客側又は店員側に回転可能であり、顧客用の商品の金額、合計金額等の情報を表示する。
【００１７】
印刷部２８は、ロール紙等の用紙に、レシートのデータ、電子ジャーナルのデータ等を印刷するサーマルプリンタ等の印刷部である。ドロア２９は、現金、商品券等を格納する引き出しである。本体部２０１とドロア２９とは、ケーブルを介した有線通信により通信接続されている構成とするが、これに限定されるものでなく、無線通信により通信接続されている構成としてもよい。また、本体部２０１には、クレジットカードを読み出して電子決済を行うための電子決済部や、レーザスキャナ、イメージスキャナ等のスキャナ部等、他の装置を接続する構成としてもよい。
【００１８】
次いで、図３を参照して、商取引処理装置２０の内部の機能構成を説明する。図３は、商取引処理装置２０の機能構成を示すブロック図である。
【００１９】
図３に示すように、商取引処理装置２０は、検索手段、商取引リスト表示手段、商取引明細表示手段、識別マーク表示手段としてのＣＰＵ（Central Processing Unit）２１と、操作部２２と、ＲＡＭ（Random Access Memory）２３と、ディスプレイとしての表示部２４ａと、表示部２４ｂと、ＲＯＭ（Read Only Memory）２５と、通信部２６と、記憶部２７と、印刷手段としての印刷部２８と、ドロア２９と、計時部３０と、を備える。
【００２０】
商取引処理装置２０の各部は、バス３１を介して互いに接続されている。図３において、簡単のため、図２の本体部２０１と、ドロア２９との接続は、バス３１を介する接続として表現している。
【００２１】
ＣＰＵ２１は、商取引処理装置２０の各部を制御する。ＣＰＵ２１は、各種プログラムのうち指定されたプログラムをＲＯＭ２５から読み出してＲＡＭ２３に展開し、展開されたプログラムとの協働で各種処理を実行する。
【００２２】
操作部２２は、表示部２４ａの表示画面に設けられたタッチパネルであり、ユーザからのタッチ入力を受け付け、その操作情報をＣＰＵ２１に出力する。操作部２２は、例えば、商品登録時に、表示部２４ａに表示された数字キー、ＰＬＵ（Price Look Up）キー、部門キー、仮締キー、小計キー、現金売り／預かり金キー（締めキー）等のソフトキーへのタッチ入力を受け付ける。なお、操作部２２は、ハードキーを有する構成としてもよい。
【００２３】
ＲＡＭ２３は、例えば、揮発性の半導体メモリであり、各種データ及びプログラムを格納するワークエリアが形成される。表示部２４ａ，２４ｂは、ＣＰＵ２１の制御により、各種表示情報を表示画面に表示する。
【００２４】
ＲＯＭ２５は、各種データ及び各種プログラムを記憶する読み出し専用のメモリである。特に、ＲＯＭ２５には、電子ジャーナル印刷プログラム２５１が記憶されている。
【００２５】
通信部２６は、ネットワークカード等により構成され、通信ネットワークＮに接続されるとともに、通信ネットワークＮ上の機器と情報の送受信を行う。つまり、ＣＰＵ２１は、通信部２６を介して、通信ネットワークＮ上のサーバ１０と通信が可能である。
【００２６】
記憶部２７は、情報の書き込み及び読み出しが可能な記憶部であり、バッテリーバックアップされたＲＡＭ、フラッシュメモリ等で構成される。記憶部２７には、売上データ、各種設定情報等が記憶され、特に、後述する電子ジャーナルファイル４０が記憶される。
【００２７】
印刷部２８は、ＣＰＵ２１の制御により、レシート、電子ジャーナル等のデータを用紙に印刷する。ドロア２９は、ＣＰＵ２１の制御により、例えば商品登録の締め時に、引き出しが開放される。
【００２８】
計時部３０は、リアルタイムクロックであり、現在日時を計時し、その現在日時情報をＣＰＵ２１に出力する。
【００２９】
次に、図４を参照して、記憶部２７に記憶する情報を説明する。図４は、電子ジャーナルファイル４０の構成を示す図である。
【００３０】
記憶部２７に記憶される電子ジャーナルファイル４０は、商取引処理装置２０の発行（新規作成、変更等）毎のレシート用紙に印刷されるレシートデータと、レシートの発行に関する情報と、を有する少なくとも１つの商取引データからなる電子ジャーナルのデータを有する。
【００３１】
電子ジャーナルファイル４０は、取引番号４１と、日時４２と、レシート明細４３と、の項目を有する。取引番号４１は、レシートの商取引（商取引によるレシートの発行（新規作成、変更等））ごとに付与されるレシートの商取引の識別情報である。
【００３２】
日時４２は、取引番号４１の商取引（レシート発行）の日時に対応する年月日及び時刻の情報である。レシート明細４３は、取引番号４１の商取引で発行されたレシートの商取引の明細データであり、当該レシートの精算における商取引処理装置２０の担当者（オペレータ）番号、担当者名、顧客の人数、顧客のテーブル番号、レシート番号、商品名、商品の個数、商品の金額、小計の金額、税額、合計金額、顧客の支払いの種類（現金、クレジットカード等）等を有する。
【００３３】
電子ジャーナルファイル４０の各レコードは、レシート発行（商取引）ごとの商取引データとなる。
【００３４】
次に、図５、図６を参照して、商取引処理システム１の動作を説明する。図５は、電子ジャーナル印刷処理を示すフローチャートである。図６は、電子ジャーナル印刷画面５０を示す図である。
【００３５】
予め、商取引処理装置２０において、商品販売に応じた商品登録や、レシートの変更毎に、売上データ生成と、当該売上データに基づく商取引データの生成と、電子ジャーナルファイル４０への当該商取引データの記憶と、の売上処理が行われているものとする。より具体的には、ＣＰＵ２１は、商品登録、レシート変更毎に、計時部３０から現在時刻情報を取得し、ユニークな取引番号を生成し、当該取引番号、現在時刻情報、売上データに基づく商品の個数、金額、レシート番号等のレシート明細データを、取引番号４１、日時４２、レシート明細４３のレコードに商取引データとして追加する。
【００３６】
なお、商取引処理装置２０において、商品登録の締め毎に、当該商品登録に対応する売上データが生成されて記憶部２７に記憶される。ＣＰＵ２１は、例えば店舗の１日の営業時間終了後に、その１日分の売上データを記憶部２７から読み出して、通信部２６を介して、当該売上データをサーバ１０に送信する。サーバ１０は、各商取引処理装置２０から売上データを受信及び記憶して管理する。
【００３７】
商取引処理装置２０において、例えば、操作部２２を介してユーザから電子ジャーナル印刷処理の実行指示が入力されたことをトリガとして、ＣＰＵ２１は、ＲＯＭ２５から読み出して適宜ＲＡＭ２３に展開した電子ジャーナル印刷プログラム２５１との協働で、電子ジャーナル印刷処理を実行する。
【００３８】
先ず、ＣＰＵ２１は、記憶部２７に記憶された電子ジャーナルファイル４０に基づいて、電子ジャーナルデータを印刷するための電子ジャーナル印刷画面情報を生成し、電子ジャーナル印刷画面情報に基づき表示部２４ａに電子ジャーナル印刷画面を表示させる（ステップＳ１１）。ステップＳ１１では、例えば、図６に示す電子ジャーナル印刷画面５０が表示される。
【００３９】
電子ジャーナル印刷画面５０は、日付選択ボタン５１と、前日ボタン５２と、翌日ボタン５３と、表示領域５４と、表示領域５５と、選択印刷ボタン５６と、一括印刷ボタン５７と、中止ボタン５８と、を有する。
【００４０】
日付選択ボタン５１は、印刷する商取引データの日付を選択するためのタップ入力を受け付けるボタンである。日付選択ボタン５１がタップ入力されると、例えば、印刷可能な商取引データの日付一覧が表示されて、当該日付一覧から１つの日付の選択入力が可能となる。前日ボタン５２は、印刷する商取引データの日付として前日を選択するためのタップ入力を受け付けるボタンである。翌日ボタン５３は、印刷する商取引データの日付として翌日を選択するためのタップ入力を受け付けるボタンである。日付選択ボタン５１、前日ボタン５２、翌日ボタン５３の選択可能な日付は、電子ジャーナルファイル４０の日時４２の日付に基づく。
【００４１】
表示領域５４は、ジャーナル表示欄５４１と、第２の識別情報としてのチェックボックス５４２と、スクロールボタン５４３と、を有する。ジャーナル表示欄５４１は、日付選択ボタン５１、前日ボタン５２又は翌日ボタン５３のタップ入力により選択された日付の商取引データのリストの表示欄である。ジャーナル表示欄５４１に表示された各商取引データは、取引番号、（商取引）日時の情報を有する。各商取引データの取引番号、日時は、電子ジャーナルファイル４０の取引番号４１、日時４２に基づく。
【００４２】
ユーザがジャーナル表示欄５４１の１つの商取引データを表示用の商取引データとしてタップ入力して選択することにより、その選択された商取引データに第１の識別情報としての選択表示部５４１１が表示される。チェックボックス５４２は、ジャーナル表示欄５４１の商取引データから、少なくとも１つの任意の印刷用の商取引データのタップ入力による選択を受け付け、選択された商取引データをチェックマークにより示す表示要素である。
【００４３】
スクロールボタン５４３は、ジャーナル表示欄５４１の商取引データのリストのページ切替のタップ入力を受け付けるボタンである。商取引データのリストは、少なくとも１つのページで構成され、各ページが複数の商取引データの項目（行）を有する。スクロールボタン５４３は、左から順に、先頭ページへの移動、１つ前のページへの移動、次のページへの移動、末尾のページへの移動、に対応する４つのボタンからなる。
【００４４】
表示領域５５は、印刷イメージ表示欄５５１と、スクロールボタン５５２と、を有する。印刷イメージ表示欄５５１は、ジャーナル表示欄５４１で選択され選択表示部５４１１が表示された商取引データのレシートとしての印刷イメージを表示する表示欄である。印刷イメージ表示欄５５１の印刷イメージは、取引番号、日時、レシート明細の情報が含まれている。印刷イメージの取引番号、日時、レシート明細は、電子ジャーナルファイル４０の取引番号４１、日時４２、レシート明細４３に基づく。
【００４５】
スクロールボタン５５２は、スクロールボタン５４３と同様のボタンであり、印刷イメージ表示欄５５１のレシートの印刷イメージのページ切替のタップ入力を受け付けるボタンである。レシートの印刷イメージは、少なくとも１ページからなるものとする。
【００４６】
選択印刷ボタン５６は、チェックボックス５４２の近傍に配置され、ジャーナル表示欄５４１の同一日付の商取引データのうちチェックボックス５４２で選択された商取引データを印刷するためのタップ入力を受け付けるボタンである。一括印刷ボタン５７は、選択印刷ボタン５６よりもチェックボックス５４２から離れた位置に配置され、ジャーナル表示欄５４１の同一日付の全ての商取引データを印刷するためのタップ入力を受け付けるボタンである。中止ボタン５８は、電子ジャーナル印刷処理の終了のためのタップ入力を受け付けるボタンである。
【００４７】
ステップＳ１１の段階では、ジャーナル表示欄５４１、印刷イメージ表示欄５５１には、何も表示されていない。また、電子ジャーナル印刷処理において、ＣＰＵ２１は、操作部２２を介してユーザからスクロールボタン５４３のタップ入力を受け付けると、当該タップ入力に応じて、ジャーナル表示欄５４１の商取引データのリストのページを切替表示するものとする。また、電子ジャーナル印刷処理において、ＣＰＵ２１は、操作部２２を介してユーザからスクロールボタン５５２のタップ入力を受け付けると、当該タップ入力に応じて、印刷イメージ表示欄５５１の商取引データの印刷イメージのページを切替表示するものとする。
【００４８】
そして、ＣＰＵ２１は、操作部２２を介してユーザから日付選択ボタン５１、前日ボタン５２又は翌日ボタン５３のタップ入力による商取引データの日付の選択入力を受け付ける（ステップＳ１２）。そして、ＣＰＵ２１は、ステップＳ１２で選択入力された日付を用いて、日時４２が対応する電子ジャーナルファイル４０の商取引データのレコードを検索し、検索したレコードに対応する商取引データのリストを生成して、ジャーナル表示欄５４１に表示する（ステップＳ１３）。
【００４９】
そして、ＣＰＵ２１は、操作部２２を介してユーザから表示用商取引データの選択入力、印刷用商取引データの選択入力、印刷指示の入力を受け付け、その何の入力がなされたかを判別する（ステップＳ１４）。ステップＳ１４の表示用商取引データの選択入力とは、ジャーナル表示欄５４１のタップ入力による表示用の商取引データの選択入力である。ステップＳ１４の印刷用商取引データの選択入力とは、チェックボックス５４２のタップ入力による少なくとも１つの印刷用の商取引データの選択入力である。ステップＳ１４の印刷指示の入力とは、選択印刷ボタン５６又は一括印刷ボタン５７のタップ入力である。
【００５０】
表示用商取引データの選択入力である場合（ステップＳ１５；表示用商取引データ選択）、ＣＰＵ２１は、ステップＳ１４で選択入力された表示用の商取引データに対応する電子ジャーナルファイル４０のレコードに基づいて、レシートの印刷イメージデータを生成し、生成したレシートの印刷イメージデータを印刷イメージ表示欄５５１に表示する（ステップＳ１５）。ステップＳ１５において、例えば、図６の電子ジャーナル印刷画面５０のように、ジャーナル表示欄５４１で取引番号が000006の商取引データが選択されて、印刷イメージ表示欄５５１に取引番号が000006の商取引データのレシートの印刷イメージが表示される。
【００５１】
印刷用商取引データの選択入力である場合（ステップＳ１５；印刷用商取引データ選択）、ＣＰＵ２１は、ステップＳ１４で選択入力された印刷用の商取引データに対応するチェックボックス５４２にチェックマークを入れて選択表示する（ステップＳ１６）。ステップＳ１６において、例えば、図６の電子ジャーナル印刷画面５０のように、ジャーナル表示欄５４１で取引番号が000001、000004、000006の商取引データが選択されて、チェックボックス５４２にそれぞれチェックマークが表示される。
【００５２】
印刷指示の入力である場合（ステップＳ１５；印刷）、ＣＰＵ２１は、ステップＳ１４で入力された印刷指示が、選択印刷ボタン５６のタップ入力に応じた選択印刷の指示、又は一括印刷ボタン５７のタップ入力に応じた選択印刷の指示であるかを判別する（ステップＳ１７）。選択印刷の指示である場合（ステップＳ１７；選択印刷）、ＣＰＵ２１は、ステップＳ１６で選択された印刷用の商取引データに対応する電子ジャーナルファイル４０のレコードに基づいて、選択された全てのレシートを印刷部２８に印刷させる（ステップＳ１８）。
【００５３】
一括印刷の指示である場合（ステップＳ１７；一括印刷）、ＣＰＵ２１は、ステップＳ１２で選択入力された日付に対応する電子ジャーナルファイル４０のレコードに基づいて、当該日付の全てのレシートを印刷部２８に印刷させる（ステップＳ１９）。
【００５４】
ステップＳ１５，Ｓ１６，Ｓ１８，Ｓ１９の後、ＣＰＵ２１は、操作部２２を介するユーザからの日付選択ボタン５１、前日ボタン５２又は翌日ボタン５３のタップ入力による商取引データの日付変更の入力があるか否かを判別する（ステップＳ２０）。日付変更の入力がある場合（ステップＳ２０；ＹＥＳ）、ステップＳ１２に移行される。
【００５５】
日付変更の入力がない場合（ステップＳ２０；ＮＯ）、ＣＰＵ２１は、中止ボタン５８のタップ入力による電子ジャーナル印刷処理の終了指示があるか否かを判別する（ステップＳ２１）。終了指示の入力がない場合（ステップＳ２１；ＮＯ）、ステップＳ１４に移行される。終了指示の入力がある場合（ステップＳ２１；ＹＥＳ）、ＣＰＵ２１は、電子ジャーナル印刷処理を終了する。
【００５６】
以上、本実施の形態によれば、商取引処理装置２０のＣＰＵ２１は、売上処理された商取引データを電子的に記録するための電子ジャーナルファイル４０から、検索日を取引日とする商取引データを検索し、電子ジャーナルファイル４０を検索して得られた各商取引データの少なくとも取引番号と日時情報とを一覧にした商取引リストを、表示領域５４に表示し、商取引リストのなかから選択された商取引データに対応したレシートの印刷イメージを表示領域５５に表示し、選択印刷ボタン５６の入力に応じて、商取引リストのなかから選択された商取引データに対応したレシートを印刷部２８により印刷する。ＣＰＵ２１は、印刷イメージが表示領域５５に表示される商取引データを識別するための選択表示部５４１１と、選択印刷ボタン５６の入力に応じてレシートが印刷される商取引データを識別するためのチェックボックス５４２とを、表示領域５４に表示する。
【００５７】
また、商取引処理装置２０の表示部２４ａは、表示領域５４とこの表示領域５４に隣接する表示領域５５とを含み、かつ表示領域５４，５５の領域外でかつ表示領域５４の近傍に選択印刷ボタン５６が配置された電子ジャーナル印刷画面を表示する。ＣＰＵ２１は、売上処理された商取引データを電子的に記録するための電子ジャーナルファイル４０から、検索日を取引日とする商取引データを検索し、電子ジャーナルファイル４０を検索して得られた各商取引データの少なくとも取引番号と日時情報とを商取引データ毎に択一的に選択可能に一覧にしたジャーナル表示欄５４１の商取引リストを、それぞれが個別の商取引データに対応する複数選択可能なチェックボックス５４２とともに表示領域５４に表示し、商取引リストのなかから択一的に選択された商取引データに対応したレシートの印刷イメージを、表示部２４ａの表示領域に表示し、選択印刷ボタン５６の入力に応じて、チェックボックス５４２で選択された商取引データに対応したレシートを印刷部２８により印刷する。
【００５８】
このため、電子ジャーナルのうち表示する商取引データと印刷する商取引データとが視覚的に分かりやすくすることができ、電子ジャーナルを分かり易く表示できる。また、日付が同じ商取引データを容易に検索して、表示でき、印刷できる。また、選択表示部５４１１により、ユーザが目視により、表示されたジャーナル表示欄５４１の商取引リストから、表示する商取引データを容易に選択できる。また、チェックボックス５４２により、ユーザが目視により、表示されたジャーナル表示欄５４１の商取引リストから、少なくとも１つの複数の商取引データを容易に選択できる。また、チェックボックス５４２と選択印刷ボタン５６とが近傍に配置されているので、ユーザが目視により、チェックボックス５４２による複数の商取引データの選択と選択印刷ボタン５６による選択した複数の商取引データの印刷とを容易且つ速やかに実行できる。
【００５９】
また、ＣＰＵ２１は、チェックボックス５４２と表示部２４ａの表示領域５５との間に商取引リストが介在するように、チェックボックス５４２とジャーナル表示欄５４１の商取引リストとを表示する。このため、ユーザが目視により、商取引リストの印刷イメージを確認しながら印刷用の商取引データを容易に選択入力することができる。
【００６０】
以上の説明では、本発明に係るプログラムのコンピュータ読み取り可能な媒体としてＲＯＭ２５を使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００６１】
なお、上記実施の形態における記述は、本発明に係る商取引処理装置及びプログラムの一例であり、これに限定されるものではない。
【００６２】
例えば、上記実施の形態では、商取引処理装置２０において、印刷対象データとして、商取引データを用いる構成としたが、これに限定されるものではない。印刷対象データとして、勤怠データ、各種設定データ等、他のデータを用いる構成としてもよい。
【００６３】
また、上記実施の形態における商取引処理システム１の各構成要素の細部構成及び細部動作に関しては、本発明の趣旨を逸脱することのない範囲で適宜変更可能であることは勿論である。
【００６４】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
売上処理された商取引データを電子的に記録するための電子ジャーナルファイルから、検索日を取引日とする商取引データを検索する検索手段と、
この検索手段により前記電子ジャーナルファイルを検索して得られた各商取引データの少なくとも取引固有情報と日時情報とを一覧にした商取引リストを、第１の表示領域に表示する商取引リスト表示手段と、
前記商取引リストのなかから選択された商取引データに対応したレシートの印字例を第２の表示領域に表示する商取引明細表示手段と、
所定の印字ボタンの入力に応じて、前記商取引リストのなかから選択された商取引データに対応したレシートを印字する印字手段と、
前記商取引明細表示手段により前記印字例が前記第２の表示領域に表示される前記商取引データを識別するための第１の識別マークと、前記印字ボタンの入力に応じて前記レシートが印字される前記商取引データを識別するための第２の識別マークとを、前記第１の表示領域に表示する識別マーク表示手段と、
を具備したことを特徴とする商取引処理装置。
＜請求項２＞
第１の領域とこの第１の領域に隣接する第２の領域とを含み、かつ前記第１及び第２の領域の領域外でかつ前記第１の領域の近傍に印字ボタンが配置された画面を表示するディスプレイと、
売上処理された商取引データを電子的に記録するための電子ジャーナルファイルから、検索日を取引日とする商取引データを検索する検索手段と、
この検索手段により前記電子ジャーナルファイルを検索して得られた各商取引データの少なくとも取引固有情報と日時情報とを商取引データ毎に択一的に選択可能に一覧にした商取引リストを、それぞれが個別の商取引データに対応する複数選択可能なチェックボックスとともに前記ディスプレイの第１の領域に表示する商取引リスト表示手段と、
前記商取引リストのなかから択一的に選択された商取引データに対応したレシートの印字例を、前記ディスプレイの第２の領域に表示する商取引明細表示手段と、
前記印字ボタンの入力に応じて、前記チェックボックスで選択された商取引データに対応したレシートを印字する印字手段と、
を具備したことを特徴とする商取引処理装置。
＜請求項３＞
前記商取引リスト表示手段は、前記チェックボックスと前記ディスプレイの第２の領域との間に前記商取引リストが介在するように、前記チェックボックス及び前記商取引リストを表示することを特徴とする請求項２に記載の商取引処理装置。
＜請求項４＞
コンピュータを、
売上処理された商取引データを電子的に記録するための電子ジャーナルファイルから、検索日を取引日とする商取引データを検索する検索手段、
この検索手段により前記電子ジャーナルファイルを検索して得られた各商取引データの少なくとも取引固有情報と日時情報とを一覧にした商取引リストを、第１の表示領域に表示する商取引リスト表示手段、
前記商取引リストのなかから選択された商取引データに対応したレシートの印字例を第２の表示領域に表示する商取引明細表示手段、
所定の印字ボタンの入力に応じて、前記商取引リストのなかから選択された商取引データに対応したレシートを印字する印字手段、
前記商取引明細表示手段により前記印字例が前記第２の表示領域に表示される前記商取引データを識別するための第１の識別マークと、前記印字ボタンの入力に応じて前記レシートが印字される前記商取引データを識別するための第２の識別マークとを、前記第１の表示領域に表示する識別マーク表示手段、
として機能させるためのプログラム。
＜請求項５＞
コンピュータを、
第１の領域とこの第１の領域に隣接する第２の領域とを含み、かつ前記第１及び第２の領域の領域外でかつ前記第１の領域の近傍に印字ボタンが配置された画面を表示するディスプレイ、
売上処理された商取引データを電子的に記録するための電子ジャーナルファイルから、検索日を取引日とする商取引データを検索する検索手段、
この検索手段により前記電子ジャーナルファイルを検索して得られた各商取引データの少なくとも取引固有情報と日時情報とを商取引データ毎に択一的に選択可能に一覧にした商取引リストを、それぞれが個別の商取引データに対応する複数選択可能なチェックボックスとともに前記ディスプレイの第１の領域に表示する商取引リスト表示手段、
前記商取引リストのなかから択一的に選択された商取引データに対応したレシートの印字例を、前記ディスプレイの第２の領域に表示する商取引明細表示手段、
前記印字ボタンの入力に応じて、前記チェックボックスで選択された商取引データに対応したレシートを印字する印字手段、
として機能させるためのプログラム。
【符号の説明】
【００６５】
１  商取引処理システム
１０  サーバ
２０  商取引処理装置
２１  ＣＰＵ
２２  操作部
２３  ＲＡＭ
２４ａ，２４ｂ  表示部
２５  ＲＯＭ
２６  通信部
２７  記憶部
２８  印刷部
２９  ドロア
３０  計時部
３１  バス
Ｎ  通信ネットワーク
【図１】
0006623791.tif 000002
【図２】
0006623791.tif 000003
【図３】
0006623791.tif 000004
【図４】
0006623791.tif 000005
【図５】
0006623791.tif 000006
【図６】
0006623791.tif 000007